(57)【要約】  【課題】オープン収納家具としての格調を損なうことなく、引き戸を簡単な構造により無理なく取り付けることを可能にする新規有用な収納家具を提供する。  【解決手段】前面に開口する筐体１の内部を縦仕切り１７によって区画してなる収納家具において、筐体１の前面と縦仕切り１７の前面とを略面一に設定するとともに、筐体１の幅寸法内及び高さ寸法内において筐体１から前方へ突出した位置に、筐体１の一部に移動可能に係り合わせて引き戸２を配置することとした。  【選択図】図１
2005273408.tif 000002
【特許請求の範囲】
【請求項１】
前面に開口する筐体の内部を縦仕切りによって区画してなる収納家具において、
前記筐体の前面と前記縦仕切りの前面とを略面一に設定するとともに、筐体の幅寸法内及び高さ寸法内において当該筐体から前方へ突出した位置に、筐体の一部に移動可能に係り合わせて引き戸を配置してなることを特徴とする収納家具。
【請求項２】
筐体を構成する上框に、外部から視認し得ない状態でレールを形成して移動体を配置するとともに、その移動体から支持要素を持ち出して引き戸を懸吊支持している請求項１記載の収納家具。
【請求項３】
レールは、筐体を構成する頂壁の前縁下面に設けられたチャネル状のものであり、当該チャネルのうち内側の起立壁と頂壁の間に、支持要素を持ち出す隙間を形成している請求項２記載の収納家具。
【請求項４】
レールは、支持要素に移動体を取り付けた状態で当該移動体を挿脱可能なものであり、支持要素の持ち出し端側に引き戸を重力により係止させる係止部を形成している請求項２又は３記載の収納家具。
【請求項５】
支持要素に移動体を複数個取り付け、レールに前記移動体を挿脱させる挿脱部をピッチを異ならせて複数箇所に或いは１箇所にのみ形成している請求項４記載の収納家具。
【請求項６】
縦仕切りと上框の間に、支持要素を通過させるスリットを形成している請求項２〜５記載の収納家具。
【請求項７】
縦仕切りの前方に切欠を設け、この切欠と上框の間に前記スリットを形成するとともに、切欠の奥方において縦仕切りの上端を上框付近の強度部に接続している請求項４記載の収納家具。
【請求項８】
縦仕切りによって形成される収納空間を閉止する位置で当該縦仕切りを利用して引き戸をロックするロック機構を設けている請求項１〜７記載の収納家具。
【請求項９】
筐体を構成する下框に、外部から視認し得ない状態で後向面を形成する一方、引き戸の下端側に前記後向面に臨む部位に延出する延出部を設け、この延出部に、前記後向面に係り合うガイド部材を取り付けている請求項１〜８記載の収納家具。
【請求項１０】
前面に開口する筐体の内部を縦仕切りによって区画してなる収納家具において、
前記筐体の前面と前記縦仕切りの前面とを略面一に設定するとともに、縦仕切りを越えて引き戸を移動可能に支持するための支持構造を当該筐体の一部に備えていることを特徴とする収納家具。
【請求項１１】
支持構造が、筐体を構成する上框付近の強度部に外部から視認し得ない状態で形成したレールと、このレールと平行をなすように縦仕切りと上框の間に形成したスリットとを具備し、レールからスリットまでの間が空間的に連通させてある請求項１０記載の収納家具。
【請求項１２】
縦仕切りの前方に切欠を設け、この切欠と上框の間に前記スリットを形成するとともに、切欠の奥方において縦仕切りの上端を上框付近に接続している請求項１１記載の収納家具。
【発明の詳細な説明】
【技術分野】
【０００１】
本発明は、オフィス等において好適に使用される収納家具に関するものである。
【背景技術】
【０００２】
従来より、前面に開口する筐体の内部を縦仕切りによって区画した収納家具として、例えば特許文献１〜３に示されるものが知られている。特許文献１のものは、筐体の上框及び下框に掘り込みによりレールを設け、このレールに引き戸を引き違い可能に配置したものである。特許文献２のものは、筐体の上框及び下框から前方へ突出した位置にレール構造体を取り付け、このレール構造体に引き戸を引き違い可能に配置したものである。特許文献３のものは、筐体の框の前方に一部にレール構造を有した枠体を取り付け、この枠体に引き戸を引き違い可能に配置したものである。
【特許文献１】特開２０００−２６２３３４公報
【特許文献２】特開２００１−２２７２４９号公報
【特許文献３】実用新案登録第２５７０２２９号
【発明の開示】
【発明が解決しようとする課題】
【０００３】
しかしながら、特許文献１のものは、筐体の内部にレールを形成して引き戸を取り付けるようにしているので、オープン収納家具として利用する場合には縦仕切りが筐体の前面よりも後方へ退避した部位に位置することとなり、格調が損なわれるという欠点がある。逆に、筐体の前面と縦仕切りの前面を略面一にしてオープン収納家具としての格調を確保すると、引き戸が縦仕切りを越えて移動し得ないものになってしまう。
【０００４】
一方、特許文献２、３のものは、筐体にレール構造体や枠体を取り付け、このレール構造体や枠体に引き戸を配置しているので、筐体の前面と縦仕切りの前面を略面一にしてオープン収納家具としての格調を確保しても、縦仕切りを越えて引き戸を移動させることは可能である。しかしながら、このようにすると、強度部材である筐体の前面に更に強度部材であるレール構造体や枠体を取り付けなければならないため、強度部材が多重になって、収納家具が重厚で無駄の多いものになる。その上、再びレール構造体や枠体を取り外してオープン収納家具として使用しようとすると、ねじ孔等が露出して外観を毀損する恐れが高い。
【０００５】
さらに、何れのものも、レールが外部から視認される点でも見栄えが悪く、引き違い構造がそれを助長しているとともに、引き違いの前方に位置する引き戸と縦仕切りとの間には隙間が生じるため、防犯の観点からも望ましいものとは言えない。
【０００６】
本発明は、このような課題に着目してなされたものであって、オープン収納家具としての格調を損なうことなく、引き戸を簡単な構造により無理なく取り付けることを可能にする新規有用な収納家具を提供しようとするものである。
【課題を解決するための手段】
【０００７】
本発明は、上記の目的を達成するために、次のような手段を講じたものである。
【０００８】
すなわち、本発明の収納家具は、前面に開口する筐体の内部を縦仕切りによって区画してなる収納家具において、前記筐体の前面と前記縦仕切りの前面とを略面一に設定するとともに、筐体の幅寸法内及び高さ寸法内において当該筐体から前方へ突出した位置に、筐体の一部に移動可能に係り合わせて引き戸を配置してなることを特徴とする。
【０００９】
このように構成すれば、筐体の前面と縦仕切りの前面とが略面一に設定してあるので、オープン収納家具として使用しても見栄えを損なうことがない。しかも、筐体から前方へ突出した位置に引き戸を配置しているので、縦仕切りを越えて引き戸を移動させることができる。さらに、引き戸を筐体の一部に移動可能に係り合わせるようにしているので、別途にレール構造体や枠体を取り付ける必要がなく、強度部材が多重構造になることを回避することができる。その上、筐体の幅寸法内及び高さ寸法内に引き戸を配置しているので、上下左右に増連しても不都合なく引き戸を使用することが可能である。
【００１０】
外観を損なわずに引き戸を移動可能に支持するためには、筐体を構成する上框に、外部から視認し得ない状態でレールを形成して移動体を配置するとともに、その移動体から支持要素を持ち出して引き戸を懸吊支持しておくことが好ましい。
【００１１】
具体的な実施の態様としては、レールが、筐体を構成する頂壁の前縁下面に設けられたチャネル状のものであり、当該チャネルのうち内側の起立壁と頂壁の間に、支持要素を持ち出す隙間を形成しているものが挙げられる。
【００１２】
作業の平易化に資するためには、レールは、支持要素に移動体を取り付けた状態で当該移動体を挿脱可能なものであり、支持要素の持ち出し端側に引き戸を重力により係止させる係止部を形成していることが望ましい。
【００１３】
支持要素の不慮の脱落を防止するためには、支持要素に移動体を複数個取り付け、レールに前記移動体を挿脱させる挿脱部をピッチを異ならせて複数箇所に或いは１箇所にのみ形成しておくことが好ましい。
【００１４】
外観を整えて目的とする機能を実現するためには、縦仕切りと上框の間に、支持要素を通過させるスリットを形成していることが有効となる。
【００１５】
スリットを設けても強度低下を招かないようにするためには、縦仕切りの前方に切欠を設け、この切欠と上框の間に前記スリットを形成するとともに、切欠の奥方において縦仕切りの上端を上框付近の強度部に接続していることが望ましい。
【００１６】
上記の構造に基づき、縦仕切りによって形成される収納空間を閉止する位置で当該縦仕切りを利用して引き戸をロックするロック機構を設けることも有効である。
【００１７】
引き戸の取付状態をより良好なものにするためには、筐体を構成する下框に、外部から視認し得ない状態で後向面を形成する一方、引き戸の下端側に前記後向面に臨む部位に延出する延出部を設け、この延出部に、前記後向面に係り合うガイド部材を取り付けていることが有効である。
【発明の効果】
【００１８】
本発明は、以上のような構成であるから、オープン収納家具としての格調を損なうことなく、引き戸を簡単な構造により無理なく適切に取り付けることができ、これにより重厚化を招くことなく引き戸式収納家具を構成することができる。また、引き戸を撤去すれば、再びオープン収納家具に簡単に戻すことができ、その際にねじ孔等が露出する不都合を回避して良好な外観を確保することが可能となる。
【発明を実施するための最良の形態】
【００１９】
以下、本発明の一実施形態を、図面を参照して説明する。
【００２０】
図１に示す本実施形態の収納家具は、オープン収納家具としても引き戸式収納家具としても利用可能なスチール製のもので、筐体１を主体として構成され、その前面に適宜引き戸２を取り付けることができるようにしている。
【００２１】
筐体１は、頂壁１１、底壁１２、左右の側壁１３及び背壁１４を相互に接続し前面に開口１５を設けたもので、頂壁１１の前縁を下方に折り返して上框１ａを構成し、底壁１２の前縁を下方に折り返して下框１ｂを構成している。頂壁１１の下面には、図２に示すように上框１ａと平行に延びる補強桟１６が位置しており、内部を区画する縦仕切り１７はこの補強桟１６に後述する態様によって接続されている。図１に示す下框１ｂの後下方には幅木１２ａが位置しており、下框１ｂは床から嵩上げした状態に配置されている。
【００２２】
縦仕切り１７の前面１７ｘと筐体１の前面１ｘは、図１〜図３に示すように面一に設定され、オープン収納家具として使用する際の外観が確保されている。縦仕切り１７は、頂壁１１の下面から底壁１２の上面に亘って配置され、側壁１３との間、或いは他の側壁１３との間に棚板１８を配設することが可能な収納空間Ｓを形成している。具体的には、縦仕切り１７は前端側を角パイプ状に折り曲げることによって拡幅部１７ａを形成したもので、この拡幅部１７ａの後向面１７ｙに棚爪を係合させるフック孔を形成している。棚板１８は、このフック孔と、背壁１４の補強部１４ａの対応位置に設けられたフック孔との間に棚爪を介して架設される。背壁１４の補強部１４ａは、板金素材を塑性変形加工することによって面板部に一体成形されたものである。
【００２３】
このような構成において、本実施形態は、縦仕切り１７を越えて引き戸２を幅方向へ移動させるための支持構造Ｘを筐体１の一部に備えている。この支持構造Ｘは、図２、図４及び図５等に示すように、筐体１を構成する上框１ａに外部から視認し得ない状態で形成したレール１１１と、このレール１１１と平行をなすように縦仕切り１７と上框１ａの間に形成したスリット１１２とを具備し、レール１１１からスリット１１２までの間を空間的に連通させている。
【００２４】
レール１１１は、前記上框１ａの構造を利用したチャネル状のもので、当該チャネルのうち内側の起立壁１１１ａを外側の起立壁１１１ｂよりも低く形成して、当該内側の起立壁１１１ａと頂壁１１の間に支持要素３を持ち出すための隙間ｄを形成している。
【００２５】
一方、支持要素３は、ブラケット３１の内側の立片３１ａに移動体であるローラ３２を水平軸３３回りに２個取り付けたもので、ローラ３２を前記レール１１１に配置した状態で、水平片３１ｂを介して連設した外側の立片３１ｃを前記隙間ｄから筐体１の前方に持ち出すようにしてある。そして、図６に示すように、その外側の立片３１ｃと引き戸２との間に形成される係止部４によって、引き戸２をブラケット３１に懸吊支持するようにしている。係止部４は、外側の立片３１ｃに形成したダルマ状孔４１と、引き戸２の裏面の対応箇所に若干の余裕を残して捩じ込んだねじ４２とを具備するもので、ねじ４２をダルマ状孔４１に挿通して重力により降下させることで、ねじ４２の首部をダルマ状孔４１の大径部から小径部に移行させて係止するものである。
【００２６】
なお、レール１１１の内側の起立壁１１１ａと頂壁１１との隙間ｄはローラ３２を挿脱させるほど大きくはない。そこで、当該レール１１１にローラ３２を挿脱させるために、当該レール１１１の内側の起立壁１１１ａの上縁付近に図５に示すような挿脱部１１１ａｘを図外の部位を含めて２箇所に凹設している。この挿脱部１１１ａｘのピッチは前記ローラ３２のピッチと異ならせてある。挿脱部１１１ａｘは１箇所のみであってもよい。
【００２７】
スリット１１２は、縦仕切り１７の前方に切欠１７ｂを設けることによって当該切欠１７ｂと上框１ａの間に形成したもので、切欠１７ｂの奥方において、縦仕切り１７の上端を上框１ａ付近の強度部、すなわち前記補強桟１６に溶接等の継手ｚを介して接続している。このスリット１１２の上下開口幅はブラケット３１の水平片３１ｂの肉厚寸法よりも若干大きく設定され、このスリット１１２を当該水平片３１ｂが通過することによって、支持要素３は縦仕切り１７によって区画された左側の収納空間Ｓの前方位置と右側の収納空間Ｓの前方位置との間で移動可能とされる。
【００２８】
引き戸２は、正面視において筐体１の幅寸法内及び高さ寸法内に収まる外形寸法のもの、より具体的には、縦仕切り１７同士あるいは縦仕切り１７と側壁１３とによって３つに区画された各収納空間Ｓを閉止する幅寸法に設定されているもので、幅方向に沿って各収納空間Ｓを選択的に閉止する位置に移動可能とされる。引き戸２の外形が筐体１とこのような関係にあることにより、この収納家具を上下左右に増連しても各収納家具の引き戸２を支障なく作動させることが可能である。
【００２９】
さらに、この収納家具は、筐体１を構成する下框１ｂに、図４に示すように外部から視認し得ない状態で後向面１２ｂを形成しており、対する引き戸２の下端側に、図４及び図７に示すようにその裏面から前記後向面１２ｂに臨む部位に延出する延出部２１をブラケット２１０を利用して配置するようにしている。この延出部２１には鉛直軸回りに回転可能なガイド部材たるフォロア２２が付帯している。具体的には、引き戸２をレール１１１に懸吊支持させた後、ブラケット２１０を引き戸２の横から差し込んで裏面にビスを用いて取り付けることによって、フォロア２２を前記後向面１２ｂと幅木１２ａの前面との間に配置し、これにより当該フォロア２２を後向面１２ｂや幅木１２ａに添接させて引き戸２をガイドするようにしている。図において符号５で示すものは樹脂製の戸当たり部材である。
【００３０】
本実施形態は、上記の構成によって引き戸２を、幅方向に分割され縦仕切り１７を介して隣接する隣の収納空間Ｓに縦仕切り１７を越えて移動させることができ、再び元の収納空間Ｓの前面に引き戻すことも可能になる。また、必要であれば再度引き戸２を筐体１から撤去することによって、オープン収納家具として利用することも可能となる。
【００３１】
そして、上述したとおり本実施形態の収納家具は、筐体１の前面と縦仕切り１７の前面とが略面一に設定してあるので、縦仕切り１７の前面が凹んでいる構造に比してオープン収納家具として使用する際の見栄えを損なうことがない。しかも、筐体１から前方へ突出した位置に引き戸２を配置しているので、縦仕切り１７を越えて引き戸２を移動させる動作を有効に実現することができる。さらに、引き戸２を筐体１の一部に移動可能に係り合わせるようにしているので、別途にレール構造体や枠体を取り付ける必要がなく、強度部材が多重構造になることによる重厚化を有効に回避することができる。その上、筐体１の幅寸法内及び高さ寸法内に引き戸２を配置しているので、上下左右に増連しても引き戸を不都合なく使用することが可能となる。
【００３２】
しかも、筐体１を構成する上框１ａに、外部から視認し得ない状態でレール１１１を形成してローラ３２を配置するとともに、そのローラ３２から支持要素３を持ち出して引き戸２を懸吊支持しているので、開口１５のうち引き戸２が存しない部分の外観を向上させることができ、引き戸２を撤去しても、外観にねじ孔等が露出する不都合も実質的に解消することが可能となる。
【００３３】
具体的には、レール１１１を、筐体１を構成する頂壁１１の前縁下面に設けられたチャネル状のものとし、当該チャネルのうち内側の起立壁１１１ａと頂壁１１の間に、支持要素３を持ち出す隙間を形成しているので、レール１１１の強度確保のための立ち上がり構造が同時に外部からの隠蔽構造としても機能するという相乗効果をもたらすものである。
【００３４】
特に、レール１１１を、支持要素３にローラ３２を取り付けた状態で当該ローラ３２を挿脱可能なものとしており、支持要素３の持ち出し端側に引き戸２を重力により係止させる係止部４を形成しているので、支持要素３をローラ３２を介してレール１１１に取り付け、しかる後、支持要素３のブラケット３１に引き戸２を係止するという手順を踏むことができ、作業の平易化に資することが可能になる。分解時も同様、先に引き戸２をブラケット３１から外し、しかる後、ブラケット３１をローラ３２ともどもレール１１１から撤去するという手順が可能になり、作業の平易化に資するものとなる。
【００３５】
また、支持要素３のブラケット３１にローラ３２を２個取り付け、レール１１１に前記ローラ３２を挿脱させる挿脱部１１１ａｘをピッチを異ならせて２箇所に設けているので、２個のローラ３２が同時に挿脱部１１１ａｘから抜脱して支持要素３がレール１１１から不慮に外れる恐れを回避して、作動の的確性を確保することができる。挿脱部１１１ａｘが１箇所にのみ形成されている場合にも同様である。
【００３６】
また、スリット１１２を、縦仕切り１７と上框１ａの間に形成しているので、支持要素３が縦仕切り１７を越えるために必要な構造を目立たないようにして実現することができる。具体的には、縦仕切り１７の前方に切欠１７ｂを設け、この切欠１７ｂと上框１ａの間に前記スリット１１２を形成するとともに、切欠１７ｂの奥方において縦仕切り１７の上端を上框１ａ付近の強度部である補強桟１６に接続しているため、スリット１１２を形成しても縦仕切り１７を補強桟１６に的確に支持させた状態を維持することができ、棚荷重等に対する強度低下を有効に回避することができる。
【００３７】
さらに、筐体１を構成する下框１ｂに、外部から視認し得ない状態で後向面１２ｂを形成する一方、引き戸２の下端側に前記後向面１２ｂに臨む部位に延出する延出部２１を設け、この延出部２１に、前記後向面１２ｂに添接するフォロア２２を取り付けているので、フォロア２２が引き戸２の移動を円滑にガイドするとともに、引き戸２の上部を懸吊支持した状態で引き戸２の下部が厚み方向にバタつくことを有効に防止することができる。
【００３８】
なお、各部の具体的な構成は、上述した実施形態のみに限定されるものではない。例えば、図８に示すように上下左右に筐体１を増連した状態で、一部の筐体１のみに引き戸２を取り付けることもできるので、収納システム全体を多彩なバリエーションの下に種々利用することが可能となる。
【００３９】
その際、筐体１の前面に引き戸２が位置していることから、側壁１３に上記縦仕切り１７と同様のスリット１１２ｘを設ければ、横方向に増連させた隣の筐体１にまで引き戸２をスライド移動させる態様も可能となる。
【００４０】
また、収納家具の中間に固定棚等の横仕切り１９を設け、この横仕切り１９に上框におけると同様のレール構造を構成して、横仕切り１９と縦仕切り１７が交差する部位があればその間にスリット１１２ｙを形成して引き戸２が通過できるようにしてもよい。このようにすると、１つの筐体１の中にあって横仕切り１９の下方の収納空間Ｓのみを閉止する位置に引き戸２を部分的に設ける態様も可能になる。或いは、筐体１や引き戸２が大型である場合は、図９に示すように上框１ａのレール１１１から懸吊した引き戸２の中間部を横仕切り１９のレール１１１ｘに支持させることで、引き戸２の厚み方向のバタつきを抑止する態様としても利用可能である。
【００４１】
さらに、図１０に示すように、縦仕切り１７によって形成される収納空間Ｓを閉止する位置で当該縦仕切り１７を利用して引き戸２をロックするロック機構５を設けるようにしてもよい。引き違いだと前方に位置する引き戸と縦仕切りとの間に隙間が生じるが、本実施形態の引き戸２は縦仕切り１７との間に大きな隙間が生じることはない。このため、引き戸２の背面側から僅かにロック部材５１を突没させれば縦仕切り１７に有効に係り合わせることができ、機構的にコンパクトな構成ながらロックが可能になるとともに、隙間を排除することにより防犯の効果も高めることができる。
【００４２】
その他の構成も、本発明の趣旨を逸脱しない範囲で種々変形が可能である。
【図面の簡単な説明】
【００４３】
【図１】本発明の一実施形態に係る収納家具を示す全体斜視図。
【図２】図１の要部拡大斜視図。
【図３】同実施形態の模式的な平断面図。
【図４】同実施形態の模式的な縦断面図。
【図５】同実施形態を図２とは異なる方向から見た要部拡大斜視図。
【図６】同実施形態を構成する引き戸の背面上部構成を示す斜視図。
【図７】同実施形態を構成する引き戸の背面下部構成を示す斜視図。
【図８】同実施形態に係る収納家具の他の利用の態様を示す図。
【図９】同実施形態に係る収納家具の他の利用の態様を示す図。
【図１０】同実施形態に係る収納家具の他の利用の態様を示す図。
【符号の説明】
【００４４】
１…筐体
１ａ…上框
１ｂ…下框
２…引き戸
３…支持要素
４…係止部
５…ロック機構
１１…頂壁
１５…開口
１７…縦仕切り
１７ｂ…切欠
２２…ガイド部材（フォロア）
３２…移動体（ローラ）
１１１…レール
１１１ａ…内側の起立壁
１１１ａｘ…挿脱部
１１２…スリット
【図１】
2005273408.tif 000003
【図２】
2005273408.tif 000004
【図３】
2005273408.tif 000005
【図４】
2005273408.tif 000006
【図５】
2005273408.tif 000007
【図６】
2005273408.tif 000008
【図７】
2005273408.tif 000009
【図８】
2005273408.tif 000010
【図９】
2005273408.tif 000011
【図１０】
2005273408.tif 000012